(57)【特許請求の範囲】
【請求項１】
ラウンド支柱に係止した前後１対の棚板ブラケットに、ラウンド棚板を載置するようにしたラウンド棚板取付構造において、
前後の棚板ブラケットの内側端上部に、外向爪を設けるとともに、外端部に、前方の棚板ブラケットは前方、後方の棚板ブラケットは後方を向く横向爪を設け、かつ前記ラウンド棚板の下面に、それぞれほぼ前後内向きに開口する前後１対の係合凹部を設けた前後方向を向く外側部補強部材と、内側面に前後１対の嵌合孔を穿設した前後方向を向く内側部補強部材とを固着し、前後の棚板ブラケットを互いに内向きに弾性撓曲させた状態で、前記外向爪を前記内側部補強部材の嵌合孔に嵌合させ、かつ前記横向爪を対応する前記係合凹部に係止させ、さらに係合凹部を、外側部補強部材の下面に形成した下向き膨出部の前後いずれか一方の端部に形成した横向穴とし、かつ前記下向き膨出部の他方の端部を、外側部補強部材の下面からなだらかに下向き傾斜する傾斜面としたことを特徴とするラウンド棚板取付構造。
【請求項２】
ラウンド支柱に係止した前後１対の棚板ブラケットに、ラウンド棚板を載置するようにしたラウンド棚板取付構造において、
前後の棚板ブラケットの内側端上部に、内向爪を設けるとともに、外端部に、前方の棚板ブラケットは後方、後方の棚板ブラケットは前方を向く横向爪を設け、かつ前記ラウンド棚板の下面に、それぞれほぼ前後外向きに開口する前後１対の係合凹部を設けた前後方向を向く外側部補強部材と、内側面に前後１対の嵌合孔を穿設した前後方向を向く内側部補強部材とを固着し、前記棚板ブラケットを互いに外向きに弾性撓曲させた状態で、前記内向爪を前記内側部補強部材の嵌合孔に嵌合させ、かつ前記横向爪を対応する前記係合凹部に係止させ、さらに係合凹部を、外側部補強部材の下面に形成した下向き膨出部の前後いずれか一方の端部に形成した横向穴とし、かつ前記下向き膨出部の他方の端部を、外側部補強部材の下面からなだらかに下向き傾斜する傾斜面としたことを特徴とするラウンド棚板取付構造。
【請求項３】
棚板ブラケットの垂直片の上縁に、水平の受支片を設け、該受支片の外端部遊側縁に短い間隔を隔てて２個の切り込みを設けることにより、両切り込み間に横向爪を形成した請求項１または２記載のラウンド棚板取付構造。
【請求項４】
棚板ブラケットの中間部を、弾性撓曲させる方向と逆方向に折曲した請求項１〜３のいずれかに記載のラウンド棚板取付構造。
【請求項５】
ラウンド支柱の外側面の前後縁を斜面部とし、該斜面部に斜め外方を向く棚板ブラケットを、外側方へ向かってハ字状に拡開するように係止させてなる請求項１〜４のいずれかに記載のラウンド棚板取付構造。
【発明の詳細な説明】
【０００１】
【発明の属する技術分野】
本発明は、商店、スーパーマーケット、百貨店等で使用される商品陳列台の側方に設置される、ラウンド型商品棚におけるラウンド棚板取付構造に関する。
【０００２】
【従来の技術】
従来のこの種のラウンド棚板取付構造としては、例えば特開平９−１９３２９号公報に記載されているものがある。この従来技術では、ブラケット(１)の前端部上面に設けた後方を向く爪部(３)を、棚板(11)の下面に設けた補強部材(21)の前面に設けた嵌合穴(22)に嵌合させることにより、棚板(11)の前部が浮き上がらないようにしている。
【０００３】
【発明が解決しようとする課題】
しかし、この取付構造では、棚板の前部に荷重が集中すると、棚板の後方が浮き上がり、棚板が外れて落下するおそれと、棚板ががたつくおそれがある。
【０００４】
本発明は、上述の問題点に鑑み、ラウンド棚板に棚板ブラケットの前後部を、ともに外れにくいように係止し、ラウンド棚板に下方からの力が作用しても、外れないようにすることを目的としている。
【０００５】
【課題を解決するための手段】
本発明によると、上記課題は、次のようにして解決される。
(１) ラウンド支柱に係止した前後１対の棚板ブラケットに、ラウンド棚板を載置するようにしたラウンド棚板取付構造において、
前後の棚板ブラケットの内側端上部に、外向爪を設けるとともに、外端部に、前方の棚板ブラケットは前方、後方の棚板ブラケットは後方を向く横向爪を設け、かつ前記ラウンド棚板の下面に、それぞれほぼ前後内向きに開口する前後１対の係合凹部を設けた前後方向を向く外側部補強部材と、内側面に前後１対の嵌合孔を穿設した前後方向を向く内側部補強部材とを固着し、前後の棚板ブラケットを互いに内向きに弾性撓曲させた状態で、前記外向爪を前記内側部補強部材の嵌合孔に嵌合させ、かつ前記横向爪を対応する前記係合凹部に係止させ、さらに係合凹部を、外側部補強部材の下面に形成した下向き膨出部の前後いずれか一方の端部に形成した横向穴とし、かつ前記下向き膨出部の他方の端部を、外側部補強部材の下面からなだらかに下向き傾斜する傾斜面とする。
【０００６】
(２) ラウンド支柱に係止した前後１対の棚板ブラケットに、ラウンド棚板を載置するようにしたラウンド棚板取付構造において、
前後の棚板ブラケットの内側端上部に、内向爪を設けるとともに、外端部に、前方の棚板ブラケットは後方、後方の棚板ブラケットは前方を向く横向爪を設け、かつ前記ラウンド棚板の下面に、それぞれほぼ前後外向きに開口する前後１対の係合凹部を設けた前後方向を向く外側部補強部材と、内側面に前後１対の嵌合孔を穿設した前後方向を向く内側部補強部材とを固着し、前記棚板ブラケットを互いに外向きに弾性撓曲させた状態で、前記内向爪を前記内側部補強部材の嵌合孔に嵌合させ、かつ前記横向爪を対応する前記係合凹部に係止させ、さらに係合凹部を、外側部補強部材の下面に形成した下向き膨出部の前後いずれか一方の端部に形成した横向穴とし、かつ前記下向き膨出部の他方の端部を、外側部補強部材の下面からなだらかに下向き傾斜する傾斜面とする。
【０００７】
(３) 上記(１)または(２)項において、棚板ブラケットの垂直片の上縁に、水平の受支片を設け、該受支片の外端部遊側縁に短い間隔を隔てて２個の切り込みを設けることにより、両切り込み間に横向爪を形成する。
【０００８】
(４) 上記(１)〜(３)項のいずれかにおいて、棚板ブラケットの中間部を、弾性撓曲させる方向と逆方向に折曲する。
【０００９】
(５) 上記(１)〜(４)項のいずれかにおいて、ラウンド支柱の外側面の前後縁を斜面部とし、該斜面部に斜め外方を向く棚板ブラケットを、外側方へ向かってハ字状に拡開するように係止させる。
【００１０】
【発明の実施の形態】
以下、本発明の実施の形態を、添付図面を参照して説明する。図１〜図８は、本発明の第１の実施形態を示す。なお、図１における右斜め下方を前側、左斜め上方を後側、左斜め下方を外側、右斜め上方を内側とする。図１において、左右の支柱(１)(２)の下端同士は、前後方向を向く脚(図示省略)により支持され、支柱(１)(２)の前後面には、それぞれ左右２列の縦長の係止孔(３)が、上下方向に列設されている。
【００１１】
支柱(１)(２)の前後面における左右２列の係止孔(３)のうちの内側のもの、すなわち、近接する側の所望の係止孔(３)には、前後方向を向くブラケット(図示省略)が係止され、このブラケットに、主棚板(４)が架設されている。
【００１２】
支柱(１)(２)間の下端部前後面には、それぞれベース棚(５)が、適宜の取付構造により配設されている。
【００１３】
左端の支柱(１)の左側面すなわち外側面には、ラウンド棚装置(10)におけるラウンド支柱(６)が重合して固着されている。ラウンド支柱(６)の外側面下端部にはラウンドベース棚(７)が、図２に示す２本の斜向脚杆(８)及び周辺部材(９)により、ベース棚(５)と同一の高さとして設けられている。
【００１４】
上記ラウンド支柱(６)は、外側面の前後の隅部を４５度の角度で斜めに切った五角形断面をなし、各斜面部(11)には、１列の縦長の係止孔(12)が列設されている。
【００１５】
この係止孔(12)に係止されるラウンド棚板(20)用の斜向する棚板ブラケット(13)(図２参照)は、図３及び図４に示すように、下縁が外側方に向かうほど上向傾斜する垂直片(14)の内側端に、複数の下向きの係止片(15)を連設してなるものである。
【００１６】
棚板ブラケット(13)の外端部上面には、前方の棚板ブラケット(13)は前方、後方の棚板ブラケット(13)は後方を向く横向爪(16)が、また、垂直片(14)の上縁の内側端寄りには、水平の外向爪(17)が設けられている。外向爪(17)と棚板ブラケット(13)の外端との間において、垂直片(14)の上縁には、側方を向く水平の受支片(18)が形成されており、図３に明らかなように、横向爪(16)は、受支片(18)の外端近くに短い間隔を隔てて２個の切り込み(16a)(16a)を入れることにより、その間に突出する部分として形成されている。
【００１７】
図２に示すように、支柱(１)の前後両面の外側の係止孔(３)には、前後方向ブラケット(19)が係止され、これに、ラウンド棚板(20)の内端部を支持するようになっている。
【００１８】
ラウンド棚板(20)の下面には、図８に示すように、前後方向を向く内外複数の補強部材が設けられており、そのうちの最も外側のものが外側部補強部材(21)であり、最も内側のものが内側部補強部材(22)である。これらの外内側部補強部材(21)(22)は、板金を断面上向きコ字状に折り曲げてなるものである。内側部補強部材(22)の内側面の中央部の前後対称位置には、図５に示すように、それぞれ横長方形の嵌合孔(23)が穿設されている。
【００１９】
また、図６及び図７に示すように、外側部補強部材(21)の下面の両端部近くには、前後１対の下向き膨出部(24)が設けられている。下向き膨出部(24)の向きは、図８に示すように、ラウンド支柱(６)の斜面部(11)に棚板ブラケット(13)を取付けたときの棚板ブラケット(13)の向きとほぼ直交し、その互いの内側の端部が横向爪(16)と整合する向きとされている。
【００２０】
図７に示すように、各下向き膨出部(24)の互いに内向きの端部には、横向爪(16)が係合する係合凹部となる横向穴(24a)が形成され、同じく外向きの端部には、外側部補強部材(21)の下面からなだらかに下向き傾斜する傾斜面(24b)が形成されている。
【００２１】
ラウンド棚板(20)の取り付けに当たっては、まず図２に示すように、前後方向ブラケット(19)を支柱(１)の前後両面の外側の係止孔(３)に取付ける。
【００２２】
次いで、２本の棚板ブラケット(13)の内側端の係止片(15)を、ラウンド支柱(６)の斜面部(11)に穿設された係止孔(12)に差し入れ、棚板ブラケット(13)を、図８に想像線(ａ)により示すように、斜面部(11)と直交し、かつ互いの挾み角がほぼ９０度をなしてハ字状に拡開するようにして係止させる。
【００２３】
このように係止した２個の棚板ブラケット(13)の外側端を、挾み角がほぼ６５度となる破線(ｂ)の位置まで弾性撓曲させて、互いに引き寄せ、この状態で、ラウンド棚板(20)の内端部を、両棚板ブラケット(19)の上に載せ、ラウンド棚板(20)を水平状態としながら、その内側部補強部材(22)における嵌合孔(23)(図５参照)に、斜向している棚板ブラケット(13)の内端部寄りの外向爪(17)(図４参照)を差し入れる。
【００２４】
このように、外向爪(17)を嵌合孔(23)に差し入れた状態では、棚板ブラケット(13)の外側端の横向爪(16)は、外側部補強部材(21)の外側面をかわして、僅かに外方となる位置にあるが、両棚板ブラケット(13)を撓めていた力を釈放すると、棚板ブラケット(13)は、図８に実線により示す位置まで戻り、横向爪(16)は、弾性力をもって、下向き膨出部(24)の横向穴(24a)に挿入され、棚板ブラケット(13)の前端部を外側部補強部材(21)に係止するに至る。
【００２５】
この時、図８に示すように、棚板ブラケット(13)の上縁の受支片(18)は、ラウンド棚板(20)の外内側部補強部材(21)(22)の下面に当接し、ラウンド棚板(20)を安定して支持する。
【００２６】
上述の斜向している棚板ブラケット(13)の弾性力は、それ自体の全体の撓みと、係止片(15)と係止孔(12)との係止部における撓みとにより生じるが、この弾性力をより確実にするためには、嵌合孔(23)の近接端(23a)(図５)を、図８の棚板ブラケット(13)の実線位置と内側部補強部材(22)の内側面との交点か、若干それよりも外側に位置させるのがよい。
【００２７】
このようにすれば、２本の斜向している棚板ブラケット(13)を互いに引き寄せる時、外向爪(17)が嵌合孔(23)の近接端(23a)に早目に当接し、棚板ブラケット(13)の撓曲の程度が大となり、棚板ブラケット(13)の横向爪(16)と外向爪(17)とにより、外内側部補強部材(21)(22)を挾む力が大となる。
【００２８】
図９〜図１２は、本発明の第２の実施形態を示すもので、図９及び図１０に示すように、前後の棚板ブラケット(13)の内側端側には、第１の実施形態における外向爪(17)に代えて、内向爪(17a)が設けられており、また受支片(18)は、前後外向きではなく、前後内向きに設けられ、その外端部遊側縁に横向爪(16)が形成されている。また、内向爪(17a)と内端の係止片(15)との中間の折曲部(25)において、垂直片(14)は、後述する弾性撓曲させる方向と逆方向、すなわち互いに内向きに鈍角に折曲されている。
【００２９】
図１１に示すように、外側部補強部材(21)の両端付近の下面における下向き膨出部(24)は、係合凹部となる横向穴(24a)が外側になるように形成されている。
【００３０】
従って、ラウンド棚板(20)の取り付けに当たっては、図１２において（ａ）位置に取り付けた棚板ブラケット(13)の内向爪(17a)を、内側部補強部材(22)の嵌合穴(23)に挿入するとともに、棚板ブラケット(13)を、互いに開く方向に弾性撓曲させ、横向爪(16)を、ラウンド棚板(20)の外側部補強部材(21)の横向穴(24)に係合させる。
【００３１】
以上本発明を、支柱(１)に１本のラウンド支柱(６)を重合して取り付け、このラウンド支柱(６)に２本の棚板ブラケット(13)を、ほぼ４５度の角度で取り付けて、ラウンド棚板(20)を載置する実施形態について説明したが、本発明は、この実施形態に限らず、他のラウンド棚装置、例えば支柱(１)に前後方向を向くエンドパネルを取り付け、その前後両端に１対のラウンド支柱を設け、これら２本のラウンド支柱に２本の棚板ブラケットを、互いにほぼ平行に取り付けるようにしたラウンド棚装置にも適用することができる。
【００３２】
【発明の効果】
請求項１および２記載の発明によれば、ラウンド棚板の外側端部が、棚板ブラケットの横向爪により係止されて、上下及び外側方への移動が抑制され、かつ内側端が、外向爪により掛止されているので、棚板ブラケット及びラウンド棚板が、がたつかず、また、ラウンド棚板に下方からの力が作用しても外れることがない。
【００３３】
請求項１記載の発明と、同じく２記載の発明とは、棚板ブラケットを弾性撓曲させる向きと、それに伴う各部材の向きとが相違するだけで主たる効果はほぼ同一であり、実施する情況に応じて、そのいずれかを選択することができる。
【００３４】
請求項１および２記載の発明によれば、係合凹部を、外側部補強部材と一体として、プレス作業により簡単に形成できるとともに、棚板ブラケット上にラウンド棚板を取り付ける際の棚板ブラケットの弾性撓曲時に、外側部補強部材の下面の横向穴を形成する下向き膨出部が、傾斜面ゆえに棚板ブラケットに引っかからず、棚板ブラケットをスムーズに弾性撓曲させることができ、横向爪を横向穴へ容易に係止することができる。
【００３５】
請求項３記載の発明によれば、ラウンド棚板の外側部補強部材を強固に支持できる。また、横向爪の両側を形成する切り込みが、横向穴を係止、挟持する構造となり、外れにくくなる。
【００３６】
請求項４記載の発明によれば、棚板ブラケットの耐荷重性が増し、また、弾性撓曲させる部分を１個所に集中させることができるので、取扱いが便利であり、さらに、棚板ブラケットをほぼ平行に保つことができるので安定性がよい。
【００３７】
請求項５記載の発明によれば、１本のラウンド支柱により、ラウンド棚板を安定よく支持することができる。
【図面の簡単な説明】
【図１】  本発明のラウンド棚板取付構造の第１の実施形態を備える棚装置の前部の斜視図である。
【図２】  図１の棚装置の分解斜視図である。
【図３】  第１の実施形態における棚板ブラケットの拡大平面図である。
【図４】  同じく、拡大正面図である。
【図５】  同じく、ラウンド棚板の下面に固着する内側部補強部材を内側から見た斜視図である。
【図６】  同じく、ラウンド棚板の下面に固着する外側部補強部材を下から見た斜視図である。
【図７】  図６に示す外側部補強部材に形成した下向き膨出部を下から見た拡大斜視図である。
【図８】  ラウンド支柱及び棚板ブラケットに取り付けたラウンド棚板を下から見た底面図である。
【図９】  本発明の第２の実施形態に用いる棚板ブラケットの拡大平面図である。
【図１０】  同じく、拡大正面図である。
【図１１】  同じく、外側部補強部材を下から見た斜視図である。
【図１２】  同じく、第２の実施形態におけるラウンド支柱及び棚板ブラケットに取り付けたラウンド棚板を下から見た底面図である。
【符号の説明】
(１)(２)支柱
(３)係止孔
(４)棚板
(５)ベース棚
(６)ラウンド支柱
(７)ラウンドベース棚
(８)斜向脚杆
(９)周辺部材
(10)ラウンド棚装置
(11)斜面部
(12)係止孔
(13)棚板ブラケット
(14)垂直片
(15)係止片
(16)横向爪(係合凹部)
(17)外向爪
(17a)内向爪
(18)受支片
(19)前後方向ブラケット
(20)ラウンド棚板
(21)外側部補強部材
(22)内側部補強部材
(23)嵌合孔
(23a)近接端
(24)下向き膨出部
(24a)横向穴
(24b)傾斜面
(25)折曲部
【図１】
0004427119.tif 000002
【図２】
0004427119.tif 000003
【図３】
0004427119.tif 000004
【図４】
0004427119.tif 000005
【図５】
0004427119.tif 000006
【図６】
0004427119.tif 000007
【図７】
0004427119.tif 000008
【図８】
0004427119.tif 000009
【図９】
0004427119.tif 000010
【図１０】
0004427119.tif 000011
【図１１】
0004427119.tif 000012
【図１２】
0004427119.tif 000013